【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
下記一般式（Ｉ）で表される化合物を含有することを特徴とする感光性組成物。
【化１】
2009042751.tif 000001
〔上記一般式（Ｉ）中、Ｒ、Ｒ１、及びＲ２は、各々独立に、水素原子又は一価の置換基を表す。〕
【請求項２】
前記一般式（Ｉ）で表される化合物が、下記一般式（Ｉ−Ｉ）で表される化合物であることを特徴とする請求項１に記載の感光性組成物。
【化２】
2009042751.tif 000002
〔上記一般式（Ｉ−Ｉ）中、Ｒ１及びＲ２は、各々独立に、水素原子又は一価の置換基を表す。Ｍは二価の連結基を表す。Ｒ３及びＲ４は、各々独立に、水素原子又は一価の置換基を表し、お互いに結合して環を形成していてもよい。〕
【請求項３】
前記一般式（Ｉ）で表される化合物が、下記一般式（Ｉ−II）で表される化合物であることを特徴とする請求項１又は請求項２に記載の感光性組成物。
【化３】
2009042751.tif 000003
〔上記一般式（Ｉ−II）中、Ｒ１及びＲ２は、各々独立に、水素原子又は一価の置換基を表す。Ｍは二価の連結基を表す。Ａｒ１は炭化水素環基又はヘテロ環基を表す。〕
【請求項４】
下記一般式（Ｉ）で表される化合物、及び重合性化合物を含有することを特徴とする硬化性組成物。
【化４】
2009042751.tif 000004
〔上記一般式（Ｉ）中、Ｒ、Ｒ１、及びＲ２は、各々独立に、水素原子又は一価の置換基を表す。〕
【請求項５】
前記一般式（Ｉ）で表される化合物が、下記一般式（Ｉ−Ｉ）で表される化合物であることを特徴とする請求項４に記載の硬化性組成物。
【化５】
2009042751.tif 000005
〔上記一般式（Ｉ−Ｉ）中、Ｒ１及びＲ２は、各々独立に、水素原子又は一価の置換基を表す。Ｍは二価の連結基を表す。Ｒ３及びＲ４は、各々独立に、水素原子又は一価の置換基を表し、お互いに結合して環を形成していてもよい。〕
【請求項６】
前記一般式（Ｉ）で表される化合物が、下記一般式（Ｉ−II）で表される化合物であることを特徴とする請求項４又は請求項５に記載の硬化性組成物。
【化６】
2009042751.tif 000006
〔上記一般式（Ｉ−II）中、Ｒ１及びＲ２は、各々独立に、水素原子又は一価の置換基を表す。Ｍは二価の連結基を表す。Ａｒ１は炭化水素環基又はヘテロ環基を表す。〕
【請求項７】
増感剤を更に含有することを特徴とする請求項４〜請求項６のいずれか１項に記載の硬化性組成物。
【請求項８】
チオール化合物を更に含有することを特徴とする請求項４〜請求項７のいずれか１項に記載の硬化性組成物。
【請求項９】
着色剤を更に含有することを特徴とする請求項４〜請求項８のいずれか１項に記載の硬化性組成物。
【請求項１０】
支持体上に、請求項４〜請求項９のいずれか１項に記載の硬化性組成物を塗布して硬化性組成物層を形成する工程と、
前記硬化性組成物層をマスクを介して露光する工程と、
露光後の前記硬化性組成物層を現像してパターンを形成する工程と、
を含むことを特徴とするパターン形成方法。
【請求項１１】
請求項９に記載の硬化性組成物を含有することを特徴とするカラーフィルタ用硬化性組成物。
【請求項１２】
支持体上に、請求項１１に記載のカラーフィルタ用硬化性組成物を用いてなる着色パターンを有することを特徴とするカラーフィルタ。
【請求項１３】
支持体上に、請求項１１に記載のカラーフィルタ用硬化性組成物を塗布して硬化性組成物層を形成する工程と、
前記硬化性組成物層をマスクを介して露光する工程と、
露光後の前記硬化性組成物層を現像して着色パターンを形成する工程と、
を含むことを特徴とするカラーフィルタの製造方法。
【手続補正２】
【補正対象書類名】明細書
【補正対象項目名】発明の名称
【補正方法】変更
【補正の内容】
【発明の名称】感光性組成物、硬化性組成物、カラーフィルタ用硬化性組成物、パターン形成方法、カラーフィルタ、及びその製造方法
【手続補正３】
【補正対象書類名】明細書
【補正対象項目名】０００１
【補正方法】変更
【補正の内容】
【０００１】
本発明は、感光性組成物、硬化性組成物、カラーフィルタ用硬化性組成物、パターン形成方法、カラーフィルタ、及びその製造方法に関する。
【手続補正４】
【補正対象書類名】明細書
【補正対象項目名】０００５
【補正方法】変更
【補正の内容】
【０００５】
本発明の第１の目的は、波長３６５ｎｍや４０５ｎｍの光に対する感度が高く、経時安定性に優れた感光性組成物、及び硬化性組成物を提供することにある。
本発明の第２の目的は、経時安定性に優れ、高感度で硬化し、良好なパターン形成性を有し、支持体との密着性に優れた着色パターンを形成しうるカラーフィルタ用硬化性組成物を提供することにある。
更に、本発明の第３の目的は、上記カラーフィルタ用硬化性組成物を用いてなる、良好な形状のパターンが形成されるパターン形成方法、パターン形状が良好であり、支持体との密着性に優れた着色パターンを備えたカラーフィルタ、及び、該カラーフィルタを高い生産性で製造しうる製造方法を提供することにある。
【手続補正５】
【補正対象書類名】明細書
【補正対象項目名】００１６
【補正方法】変更
【補正の内容】
【００１６】
本発明のカラーフィルタ用硬化性組成物は、前述の本発明の硬化性組成物を含有することを特徴とする。
本発明のパターン形成方法は、支持体上に、上記硬化性組成物を塗布して硬化性組成物層を形成する工程と、前記硬化性組成物層をマスクを介して露光する工程と、露光後の前記硬化性組成物層を現像してパターンを形成する工程と、を含むことを特徴とする。
また、本発明のカラーフィルタは、支持体上に、上記カラーフィルタ用硬化性組成物を用いてなる着色パターンを有することを特徴とする。
更に、本発明のカラーフィルタの製造方法は、支持体上に、上記カラーフィルタ用硬化性組成物を塗布して硬化性組成物層を形成する工程と、前記硬化性組成物層をマスクを介して露光する工程と、露光後の前記硬化性組成物層を現像して着色パターンを形成する工程と、を含むことを特徴とする。
【手続補正６】
【補正対象書類名】明細書
【補正対象項目名】００１７
【補正方法】変更
【補正の内容】
【００１７】
本発明によれば、波長３６５ｎｍや４０５ｎｍの光に対する感度が高く、経時安定性に優れた感光性組成物、及び硬化性組成物を提供することができる。
また、本発明によれば、経時安定性に優れ、高感度で硬化し、良好なパターン形成性を有し、支持体との密着性に優れた着色パターンを形成しうるカラーフィルタ用硬化性組成物を提供することができる。
更に、本発明によれば、上記カラーフィルタ用硬化性組成物を用いてなる、パターン形状が良好なパターン形成方法を提供し、パターン形状が良好であり、支持体との密着性に優れた着色パターンを備えたカラーフィルタ、及び、該カラーフィルタを高い生産性で製造しうる製造方法を提供することができる。
【手続補正７】
【補正対象書類名】明細書
【補正対象項目名】０２３６
【補正方法】変更
【補正の内容】
【０２３６】
＜パターン形成方法、カラーフィルタ、及びその製造方法＞
次に、本発明のパターン形成方法、カラーフィルタ、及びその製造方法について説明する。
本発明のカラーフィルタは、支持体上に、本発明のカラーフィルタ用硬化性組成物を用いてなる着色パターンを有することを特徴とする。
以下、本発明のカラーフィルタについて、その製造方法（本発明のカラーフィルタの製造方法）を通じて詳述する。
【手続補正８】
【補正対象書類名】明細書
【補正対象項目名】０２３７
【補正方法】変更
【補正の内容】
【０２３７】
本発明のパターン形成方法、及びカラーフィルタの製造方法は、支持体上に、本発明のカラーフィルタ用硬化性組成物を塗布して着色硬化性組成物層を形成する工程（以下、適宜「着色硬化性組成物層形成工程」と略称する。）と、前記着色硬化性組成物層をマスクを介して露光する工程（以下、適宜「露光工程」と略称する。）と、露光後の前記硬化性組成物層を現像して着色パターンを形成する工程（以下、適宜「現像工程」と略称する。）と、を含むことを特徴とする。